【手続補正書】
【提出日】平成28年9月8日(2016.9.8)
【手続補正１】
【補正対象書類名】特許請求の範囲
【補正対象項目名】全文
【補正方法】変更
【補正の内容】
【特許請求の範囲】
【請求項１】
方法であって、
組織体の仮想３次元モデルを取得する工程と、
コンピューティングデバイスによって実行されるソフトウエアプログラムを介してインプラント体を含む整形外科用インプラントの仮想３次元モデルを設計する工程であって、前記インプラント体は長手方向軸に沿って細長く、かつ前記インプラント体の前記長手方向軸に対して角度付けられた穴軸に沿って延びる少なくとも１個の穴を有し、前記整形外科用インプラントの前記仮想３次元モデルが前記組織体の前記仮想３次元モデルの特定の部分にわたり嵌合するように輪郭を付けられるように、設計する工程と、
前記ソフトウエアプログラムを介して、前記整形外科用インプラントの前記仮想３次元モデルを操作する工程であって、前記組織体の前記仮想３次元モデルの前記特定の部分を重ね合わせ、前記整形外科用インプラントの操作された仮想３次元モデルを画定する、工程と、
前記ソフトウエアプログラムを介して、締結具の仮想３次元モデルを少なくとも部分的に前記インプラント体の前記少なくとも１個の穴に挿入する工程であって、前記締結具の前記仮想３次元モデルが前記組織体の前記取得された仮想３次元モデルの所定の区間内まで延在しないように挿入され、前記組織体の前記取得された仮想３次元モデルの前記所定の区間が、神経、歯、又は金物類を含む、工程と、
前記整形外科用インプラントの前記操作された仮想３次元モデルを製造機械に転送する工程であって、前記製造機械は、前記整形外科用インプラントの前記操作された仮想３次元モデルに対応する患者別整形外科用インプラントを構築するよう構成された、工程と、
を含む、方法。
【請求項２】
前記所定の区間が、前記インプラント体を通って延在する別の締結具との交点である、請求項１に記載の方法。
【請求項３】
前記組織体が、下顎骨であり、前記取得工程が、前記下顎骨の仮想３次元モデルの取得を含む、請求項１又は２に記載の方法。
【請求項４】
前記組織体が、上顎骨であり、前記取得工程が、前記上顎骨の仮想３次元モデルの取得を含む、請求項１、２、又は３に記載の方法。
【請求項５】
前記取得工程が、コンピュータ断層撮影（ＣＴ）走査機械、レーザ走査機械、光学走査機械、磁気共鳴映像（ＭＲＩ）機械、及び座標計測機械からなる群から選択される走査機械を用いて前記組織体を走査することを含む、請求項１〜４のいずれか一項に記載の方法。
【請求項６】
前記少なくとも１個の穴が、第１の穴であり、前記締結具の前記仮想３次元モデルが、第１の締結具の仮想３次元モデルであり、前記方法が、前記インプラント体を通って延在する第２の穴を設計することを含み、前記第１の締結具の前記仮想３次元モデル及び第２の締結具の仮想３次元モデルがそれぞれ前記整形外科用インプラントの前記操作された仮想３次元モデルの第１の穴及び第２の穴に少なくとも部分的に配置される場合、前記第２の締結具の前記仮想３次元モデルが前記第１の締結具の前記仮想３次元モデルに接触しないように、第２の穴が前記インプラント体に対して位置付けられるか又は角度付けられる、請求項１〜５のいずれか一項に記載の方法。
【請求項７】
製造機械を用いて前記整形外科用インプラントの前記操作された仮想３次元モデルと対応するように前記患者別整形外科用インプラントを構築することを更に含む、請求項１〜６のいずれか一項に記載の方法。
【請求項８】
前記整形外科用インプラントの前記操作された仮想３次元モデル及び前記少なくとも１個の穴を表すデータを用いてＣＮＣコードを生成することを更に含む、請求項７に記載の方法。
【請求項９】
前記構築工程が、前記ＣＮＣコードをＣＮＣ機械に転送し、前記ＣＮＣ機械を使用して前記患者別整形外科用インプラントを構築することを含む、請求項７又は８に記載の方法。
【請求項１０】
前記操作工程が、前記整形外科用インプラントの前記仮想３次元モデルを前記組織体の前記仮想３次元モデルに連結することを含む、請求項１〜９のいずれか一項に記載の方法。
【請求項１１】
方法であって、
コンピューティングデバイスによって実行されるソフトウエアプログラムを介して、組織体の仮想３次元モデルの所定の部分にわたり嵌合するように輪郭を付けられた整形外科用インプラントの仮想３次元モデルを設計する工程であって、前記整形外科用インプラントの前記仮想３次元モデルが、長手方向軸に沿って細長いインプラント体と、前記整形外科用インプラントの前記仮想３次元モデルの前記インプラント体を通り、前記インプラント体の前記長手方向軸に対して角度付けられた穴軸に沿って延びる少なくとも１個の仮想の穴と、を有する、工程と、
前記ソフトウエアプログラムを介して、前記整形外科用インプラントの前記仮想３次元モデルを操作する工程であって、前記組織体の前記仮想３次元モデルの前記特定の部分を重ね合わせ、前記整形外科用インプラントの操作された仮想３次元モデルを画定する、工程と、
前記ソフトウエアプログラムを介して、締結具の仮想３次元モデルを少なくとも部分的に前記インプラント体の前記少なくとも１個の仮想の穴に挿入する工程であって、前記締結具の前記仮想３次元モデルが前記組織体の前記取得された仮想３次元モデルの所定の区間内まで延在しないように挿入され、前記組織体の前記取得された仮想３次元モデルの前記所定の区間が、神経、歯、又は金物類を含む、工程と、
前記整形外科用インプラントの前記操作された仮想３次元モデルを製造機械に転送する工程であって、前記製造機械は、前記整形外科用インプラントの前記操作された仮想３次元モデルに対応する患者別整形外科用インプラントを構築するよう構成された、工程と、
を含む、方法。
【請求項１２】
前記組織体の前記仮想３次元モデルを取得することを更に含む、請求項１１に記載の方法。
【請求項１３】
前記取得工程が、走査機械を用いて前記組織体を走査することを含み、前記走査機械は、コンピュータ断層撮影（ＣＴ）走査機械、レーザ走査機械、光学走査機械、磁気共鳴映像（ＭＲＩ）機械、及び座標計測機械からなる群から選択される、請求項１１又は１２に記載の方法。
【請求項１４】
前記取得工程において、前記組織体が、下顎骨であり、前記取得工程が、前記走査機械を用いて前記下顎骨を走査することを更に含む、請求項１２および１３のいずれか一項に記載の方法。
【請求項１５】
前記製造機械を用いて前記整形外科用インプラントの前記操作された仮想３次元モデルと対応するように、有形の整形外科用インプラントを構築することを更に含む、請求項１２〜１４のいずれか一項に記載の方法。
【請求項１６】
前記整形外科用インプラントの前記仮想３次元モデル及び前記少なくとも１個の仮想の穴を表すデータを用いてＣＮＣコードを生成することを更に含む、請求項１５に記載の方法。
【請求項１７】
前記構築工程が、前記ＣＮＣコードをＣＮＣ機械に転送することを含む、請求項１５又は１６に記載の方法。
【請求項１８】
前記構築工程が、前記ＣＮＣ機械を用いて前記有形の整形外科用インプラントを構築することを含む、請求項１５〜１７のいずれか一項に記載の方法。
【請求項１９】
前記少なくとも１個の仮想の穴が、第１の仮想の穴であり、前記締結具の前記仮想３次元モデルが、第１の締結具の仮想３次元モデルであり、前記方法が、第２の仮想の穴を設計することを含み、前記第１の締結具の前記仮想３次元モデル及び第２の締結具の仮想３次元モデルがそれぞれ前記整形外科用インプラントの前記操作された仮想３次元モデルの前記第１の仮想の穴及び前記第２の仮想の穴に少なくとも部分的に配置される場合、前記第２の締結具の前記仮想３次元モデルが前記第１の締結具の前記仮想３次元モデルに干渉しないように、前記第２の仮想の穴が前記インプラント体に対して位置付けられ、角度付けられる、請求項１２〜１７のいずれか一項に記載の方法。
【請求項２０】
前記設計工程が、前記インプラント体に対する前記少なくとも１個の仮想の穴の角度又は位置についての情報を含む場所データを取得することを含む、請求項１２〜１９のいずれか一項に記載の方法。